(57)【要約】【課題】強度的な問題がなく、簡単に製造でき、聴覚的かつ触覚的な違和感がない釣り用ルアーを得るにある。【解決手段】剛性のある金属板から細長い矩形断面棒状に加工される金属板芯材と、同金属板芯材前端部の面積のある結合部の周囲にモールドされるおもりと、このおもり及び前記金属板芯材の後端部を覆った状態でモールドされる軟質樹脂ボディとを備え、前記軟質樹脂ボディの外部に位置した状態で前記結合部の延長部にラインアイをー体形成し、前記軟質樹脂ボディの外部に位置した状態で前記金属板芯材の後端部に尾部フックアイをー体形成した釣り用ルアー。【選択図】図１
2010075167.tif 000002
【特許請求の範囲】
【請求項１】
剛性のある金属板から細長い矩形断面棒状に加工される金属板芯材と、同金属板芯材前端部の面積のある結合部の周囲にモールドされるおもりと、このおもり及び前記金属板芯材の後端部を覆った状態でモールドされる軟質樹脂ボディとを備え、前記軟質樹脂ボディの外部に位置した状態で前記結合部の延長部にラインアイをー体形成し、前記軟質樹脂ボディの外部に位置した状態で前記金属板芯材の後端部に尾部フックアイをー体形成したことを特徴とする釣り用ルアー。
【請求項２】
前記後端部寄りの部分に金属板芯材に形成された面積のある付加結合部を有し、同付加結合部により軟質樹脂ボディとのー体性を高めたことを特徴とする請求項１記載の釣り用ルアー。
【請求項３】
前記結合部及び前記付加結合部の少なくともー方には前記おもり及び軟質樹脂ボディとの結合力を高める開孔が形成されたことを特徴とする請求項１及び請求項２の何れかひとつに記載の釣り用ルアー。
【請求項４】
前記軟質樹脂ボディの外部に位置した状態で前記結合部の腹部延長部に腹部フックアイをー体形成したことを特徴とする請求項１から請求項３の何れかひとつに記載の釣り用ルアー。
【発明の詳細な説明】
【技術分野】
【０００１】
本発明は釣り用ルアーに関し、特に外観や運動性ばかりでなく、触感にも優れた釣り用ルアーに関するものである。
【背景技術】
【０００２】
ー般に、釣り用ルアーは魚体を模したボディを中空硬質樹脂や中実木質材料で作られ、同ボディ中に通したワイヤのー部をボディ外に導出することにより、ラインやフックのためのラインアイやフックアイを形成させている。
【０００３】
言い換えると、中空硬質樹脂や中実木質材料で魚体や小動物を模したボディを構成し、引っ張りに強い金属ワイヤで釣り糸（ライン）と釣り針（フック）との間を繋いでいる。
つまり、これらの釣り用ルアーでは、ボディの外形や内部に組み込むおもり等により個体の注意を喚起する外観や動きを得ている。
【特許文献１】特願２００６−０４３３３９明細書
【特許文献２】特願２００５−１４６６６６明細書
【発明の開示】
【発明が解決しようとする課題】
【０００４】
しかしながら、従来の釣り用ルアーでは、外観や動きの点では、目的とする獲物に視覚的な興味を与えることができるが、聴覚的または触覚的違和感があり、強度的な製造上の問題を含んでいる。即ち、前述した特願２００６−０４３３３９明細書記載の釣り用ルアーでは、興味ある動きを得るためにボディの内部に移動おもりを組み込むので、異常な波動を目的個体が感じると言われており、ボディに食付いた目的個体が触覚的な違和感により口から吐き出すことが多い。そして、金属線ワイヤをボディに通すこと自体がやっかいな工程となるばかりでなく、ラインアイやフックアイを形成させるために金属線ワイヤは折り返し状態として所定形状に成形する必要があり、熟練した加工が必要で、強度的にも問題が生じ易い。
【０００５】
本発明の目的は、以上に述べたような従来の釣り用ルアーの問題に鑑み、視覚的な注意を喚起できるばかりでなく、強度的な問題がなく、簡単に製造でき、聴覚的かつ触覚的な違和感がない釣り用ルアーを得るにある。
【課題を解決するための手段】
【０００６】
この目的は、本発明によれば、剛性のある金属板から細長い矩形断面棒状に加工される金属板芯材と、同金属板芯材前端部の面積のある結合部の周囲にモールドされるおもりと、このおもり及び前記金属板芯材の後端部を覆った状態でモールドされる軟質樹脂ボディとを備え、前記軟質樹脂ボディの外部に位置した状態で前記結合部の延長部にラインアイをー体形成し、前記軟質樹脂ボディの外部に位置した状態で前記金属板芯材の後端部に尾部フックアイをー体形成した釣り用ルアーにより達成される。
【発明の効果】
【０００７】
本発明によれば、ステンレススチール板から加工した金属板芯材におもり及び軟質樹脂ボディを順序的にモールドするだけで製造できるばかりでなく、金属板芯材自体の強度でラインとフックとの強度を維持でき、聴覚的違和感がなく、触覚的に優れた釣り用ルアーを得ることができる。
【発明を実施するための最良の形態】
【０００８】
後述する本発明の好ましい実施例においては、
１）前記後端部寄りの部分に金属板芯材に形成された面積のある付加結合部を有し、同付加結合部により軟質樹脂ボディとのー体性を高めた構造（請求項２）、
２）前記結合部及び前記付加結合部の少なくともー方には前記おもり及び軟質樹脂ボディとの結合力を高める開孔が形成された構造（請求項３）、
３）前記軟質樹脂ボディの外部に位置した状態で前記結合部の腹部延長部に腹部フックアイをー体形成した構造（請求項４）、
が説明される。
【実施例１】
【０００９】
以下、図面について本発明の実施例の詳細を説明する。
図示実施例は小魚に似せた釣り用ルアーであり、図１から図４は本発明の実施例１を示している。
【００１０】
図１から図４において、実施例１の釣り用ルアーは例えば厚みＬが０．５ｍｍのステンレススチール板等の金属板から打抜き又はレーザー加工される金属板芯材１を備えている。
実施例１の場合、細長い山形に形成される同金属板芯材１の後端部１ａにはリング状の尾部フックアイ２が連設され、詳細を後述する軟質樹脂ボディ１０の外部に位置する同尾部フックアイ２にはカラビナ３を用いて第１フック５が外部結合される。
【００１１】
そして、前記金属板芯材１の前端部には面積のある結合部１ｂが形成され、同結合部１ｂの上部には延長部１ｃに連設されるラインアイ６が形成され、軟質樹脂ボディ１０の外部に位置する同ラインアイ６には釣りライン（図示せず）が結合される。金属板芯材１の結合部１ｂには前後のバランスのためのおもり７がモールドされるが、おもり７と結合部１ｂとの結合状態を高めるためには開孔８を形成するがよい。
【００１２】
また、比重量の高い鉛で構成されるおもり７は、比較的比重量の高い他の金属材料、例えばＮｉ，Ｆｅ，Ｗ等やこれらの粉末焼結合金であってもよい。
【００１３】
前記結合部１ｂの下部には下向きの延長部１ｄが連設され、同延長部１ｄ下端の腹部フックアイ６はおもり７及び軟質樹脂ボディ１０の外部に位置されるが、同腹部フックアイ６にはカラビナ１１を用いて第２フック１２が結合される。
【００１４】
おもり７を前端部にモールドされた金属板芯材１は、ラインアイ６、尾部フックアイ２、腹部フックアイ６を外部に位置した状態で小魚形状の型（図３及び図４に示すように下部断面幅を大にすることにより重心位置が下にされる。）中に位置され、周囲に軟質樹脂ボディ１０が中実状態にモールドされる。この軟質樹脂ボディ１０として用いる軟質材料としては、シリコンゴムが代表的なものであるが、例えば硬度を調整したネオプレン、合成ネオプレン、ナイロン、塩化ビニル、スチレン系軟質樹脂、オレフィン系軟質樹脂等のエラストマーでもよい。
【００１５】
実施例１の場合、前述した金属板芯材１の後端部１ａ寄りの部分に付加結合部１ｅが連設してある。この付加結合部１ｅは、前述した結合部１ｂと同様に、開孔８Ａを形成し、軟質樹脂ボディ１０との結合性を高めるとよい。つまり、開孔８Ａの存在により、外部から軟質樹脂ボディ１０に外力が加わっても、２と分離して軟質樹脂ボディ１０のみが分離して変形できなくなる。
【００１６】
実施例１の釣り用ルアーは、以上のような構成であるから、外観や運動性に優れているばかりでなく、触感がよく、製造が簡単で、必要な強度も維持できる。
即ち、軟質樹脂ボディ１０は金属板芯材１で補強された軟質樹脂で構成されるため、やりとりの間に獲物に触覚的な違和感を与えることがなく、金属板芯材１におもり７及び軟質樹脂ボディ１０をモールドすることにより、能率的に製造でき、ラインとフック５，９の間は強度を保証された金属板芯材１で繋がれるので、大きな獲物とのやりとりの場合にも安心である。
【実施例２】
【００１７】
図５は本発明の実施例２による小型の釣り用ルアーを示し、同釣り用ルアーの金属板芯材１Ａは前端部に開孔８を形成される結合部１ｂを備える点、延長部１ｃに連設されるラインアイ６、下部延長部１ｄに連設される腹部フックアイ６、尾部フックアイ２、同腹部フックアイ６及び尾部フックアイ２に結合される第２フック１０及び第１フック５の点では、実施例１の場合と全く同様である。
つまり、実施例２では、実施例１について前述した付加結合部１ｅが省略されている点が特徴である。言い換えると、比較的小型の釣り用ルアーの場合、前述した付加結合部１ｅはあえて必要がないことを示している。
【産業上の利用可能性】
【００１８】
前述した実施例にあっては、現実の小魚に似せた釣り用ルアーの場合を図示かつ説明したが、本発明は、他の小動物の形状等に似せた形状による実施も可能である。
【図面の簡単な説明】
【００１９】
【図１】本発明の実施例１による釣り用ルアーの側面図である。
【図２】同釣り用ルアーに用いる金属板芯材の側面図である。
【図３】図１の３−３線に沿う断面図である。
【図４】図１の４−４線に沿う断面図である。
【図５】本発明の実施例２による釣り用ルアーの図１と同様の図である。
【符号の説明】
【００２０】
１    金属板芯材
１ａ  後端部
１ｂ  結合部
１ｃ  延長部
１ｄ  付加結合部
２    尾部フックアイ
５    第１フック
６    腹部フックアイ
７    おもり
８，８Ａ  開孔
９    軟質樹脂ボディ
１０  第２フック
【図１】
2010075167.tif 000003
【図２】
2010075167.tif 000004
【図３】
2010075167.tif 000005
【図４】
2010075167.tif 000006
【図５】
2010075167.tif 000007